(57)【要約】【課題】包装用に水受槽を静止状態に固定することが可能なヒートポンプ式の衣類乾燥機を提供すること。【解決手段】水受槽２３の上ボス部に後方から支持枠１０を通して上ボルト４８の雄ネジ部を取外し可能に螺合し、水受槽２３の下ボス部に後方から下部枠８を通して下ボルト５４の雄ネジ部を取外し可能に螺合し、水受槽２３の天雌ネジ部に上方から上部枠１１を通して天ボルト６３の雄ネジ部を取外し可能に螺合したので、洗濯機の輸送時に水受槽２３をヒートポンプ式の乾燥機構４２に邪魔されることなく上ボルト４８と下ボルト５４と天ボルト６３を介して外箱１に締結し、十分な静止状態に固定することができる。【選択図】図２
2007145351.tif 000002
【特許請求の範囲】
【請求項１】
衣類が投入されるドラムを内蔵するものであって、前記ドラム内の衣類から放出される水を受けると共に後板を有する有底な円筒状の水受槽と、
前記水受槽が収納された箱体と、
前記箱体の内部に前記水受槽より低所に位置して収納され、前記ドラム内から空気を吸引して前記ドラム内に戻すように循環させる送風器と前記送風器が生成する空気流の循環経路内に配置された蒸発器と前記送風器が生成する空気流の循環経路内に前記蒸発器の下流側に位置して配置された凝縮器と前記蒸発器および前記凝縮器に冷媒を流す圧縮器を有するヒートポンプ式の乾燥機構と、
前記水受槽に前記水受槽の後板の中心より高所に位置して設けられ、前記箱体の後板を通して上ボルトの雄ネジ部が取外し可能に螺合される上雌ネジ部と、
前記水受槽に前記水受槽の後板の中心より低所に位置して設けられ、前記箱体の後板を通して下ボルトの雄ネジ部が取外し可能に螺合される下雌ネジ部とを備え、
前記箱体の後板は、
前記下ボルトの雄ネジ部が貫通する下部後板と、
前記下部後板の上方に前記下部後板に対して離間して設けられ、前記上ボルトの雄ネジ部が貫通する上部後板と、
前記下部後板および前記上部後板相互間の隙間を塞ぐ後蓋の３部材を含んで構成されていることを特徴とする衣類乾燥機。
【請求項２】
衣類が投入されるドラムを内蔵するものであって、前記ドラム内の衣類から放出される水を受けると共に後板を有する有底な円筒状の水受槽と、
前記水受槽が収納された箱体と、
前記箱体の内部に前記水受槽より高所に位置して設けられ、前記箱体の強度を高める梁部材と、
前記箱体の内部に前記水受槽より低所に位置して収納され、前記ドラム内から空気を吸引して前記ドラム内に戻すように循環させる送風器と前記送風器が生成する空気流の循環経路内に配置された蒸発器と前記送風器が生成する空気流の循環経路内に前記蒸発器の下流側に位置して配置された凝縮器と前記蒸発器および前記凝縮器に冷媒を流す圧縮器を有するヒートポンプ式の乾燥機構と、
前記箱体の天板に設けられ、天ボルトが頭部ごと挿入可能なボルト挿入孔と、
前記水受槽に設けられ、前記箱体の梁部材を通して前記天ボルトの雄ネジ部が取外し可能に螺合される天雌ネジ部とを備えたことを特徴とする衣類乾燥機。
【請求項３】
衣類が投入されるドラムを内蔵するものであって、前記ドラム内の衣類から放出される水を受けると共に後板を有する有底な円筒状の水受槽と、
前記水受槽が収納された箱体と、
前記箱体の内部に前記水受槽より高所に位置して設けられ、前記箱体の強度を高める梁部材と、
前記箱体の内部に前記水受槽より低所に位置して収納され、前記ドラム内から空気を吸引して前記ドラム内に戻すように循環させる送風器と前記送風器が生成する空気流の循環経路内に配置された蒸発器と前記送風器が生成する空気流の循環経路内に前記蒸発器の下流側に位置して配置された凝縮器と前記蒸発器および前記凝縮器に冷媒を流す圧縮器を有するヒートポンプ式の乾燥機構と、
前記水受槽に前記水受槽の後板の中心より高所に位置して設けられ、前記箱体の後板を通して上ボルトの雄ネジ部が取外し可能に螺合される上雌ネジ部と、
前記水受槽に前記水受槽の後板の中心より低所に位置して設けられ、前記箱体の後板を通して下ボルトの雄ネジ部が取外し可能に螺合される下雌ネジ部と、
前記箱体の天板に設けられ、天ボルトが頭部ごと挿入可能なボルト挿入孔と、
前記水受槽に設けられ、前記箱体の梁部材を通して前記天ボルトの雄ネジ部が取外し可能に螺合される天雌ネジ部とを備え、
前記箱体の後板は、
前記下ボルトの雄ネジ部が貫通する下部後板と、
前記下部後板の上方に前記下部後板に対して離間して設けられ、前記上ボルトの雄ネジ部が貫通する上部後板と、
前記下部後板および前記上部後板相互間の隙間を塞ぐ後蓋の３部材を含んで構成されていることを特徴とする衣類乾燥機。
【請求項４】
前記水受槽には、前記上雌ネジ部または前記下雌ネジ部または前記天雌ネジ部を有する台座が固定されていることを特徴とする請求項１〜３のいずれかに記載の衣類乾燥機。
【請求項５】
前記ボルト挿入孔には、前記ボルト挿入孔を塞ぐことで前記天ボルトの頭部を覆うキャップが着脱可能に設けられていることを特徴とする請求項２および３のいずれかに記載の衣類乾燥機。
【請求項６】
前記上ボルトと前記下ボルトの２部材および前記上ボルトと前記下ボルトと前記天ボルトの３部材のいずれかには、共通のタグが装着されていることを特徴とする請求項１および３のいずれかに記載の衣類乾燥機。
【請求項７】
前記タグは、電源プラグを有する電源コードに装着されることで電源コードの挙動を制限するものであることを特徴とする請求項６に記載の衣類乾燥機。
【発明の詳細な説明】
【技術分野】
【０００１】
本発明は、衣類が投入されるドラムを内蔵する水受槽を備えた衣類乾燥機に関する。
【背景技術】
【０００２】
上記衣類乾燥機においては、衣類乾燥機を輸送等の目的で包装するときに水受槽を静止状態に固定することが行われている。従来では水受槽を下方から１個の輸送金具によって支え、水受槽を後方から1本の輸送ボルトによって箱体の後板に連結することで水受槽を静止状態に固定していた。
【特許文献１】特開２００１−２１９９８７号公報
【特許文献２】特開２００５−９６８２２号公報
【発明の開示】
【発明が解決しようとする課題】
【０００３】
現状では蒸発器と凝縮器と圧縮器と送風器を含むヒートポンプ式の乾燥機構を利用して衣類の乾燥運転を行うことが提案されている。このヒートポンプ式の乾燥機構は高重量であるので、箱体の内部に箱体の底板上に載せる方式で収納される。このヒートポンプ式の乾燥機構は部品点数が多い上にパイプの配管経路および空気流の循環経路が複雑に入組んでいるので、水受槽を下方から支える輸送金具を挿入することが可能な隙間が存在しない。このため、従来の包装方式では水受槽を十分な静止状態に固定することができない問題がある。
【０００４】
本発明は上記事情に鑑みてなされたものであり、その目的は、包装用に水受槽を静止状態に固定することが可能なヒートポンプ式の衣類乾燥機を提供することにある。
【課題を解決するための手段】
【０００５】
請求項１記載の衣類乾燥機は、衣類が投入されるドラムを内蔵するものであって前記ドラム内の衣類から放出される水を受けると共に後板を有する有底な円筒状の水受槽と、前記水受槽が収納された箱体と、前記箱体の内部に前記水受槽より低所に位置して収納され前記ドラム内から空気を吸引して前記ドラム内に戻すように循環させる送風器と前記送風器が生成する空気流の循環経路内に配置された蒸発器と前記送風器が生成する空気流の循環経路内に前記蒸発器の下流側に位置して配置された凝縮器と前記蒸発器および前記凝縮器に冷媒を流す圧縮器を有するヒートポンプ式の乾燥機構と、前記水受槽に前記水受槽の後板の中心より高所に位置して設けられ前記箱体の後板を通して上ボルトの雄ネジ部が取外し可能に螺合される上雌ネジ部と、前記水受槽に前記水受槽の後板の中心より低所に位置して設けられ前記箱体の後板を通して下ボルトの雄ネジ部が取外し可能に螺合される下雌ネジ部とを備え、前記箱体の後板は前記下ボルトの雄ネジ部が貫通する下部後板と前記下部後板の上方に前記下部後板に対して離間して設けられ前記上ボルトの雄ネジ部が貫通する上部後板と、前記下部後板および前記上部後板相互間の隙間を塞ぐ後蓋の３部材を含んで構成されているところに特徴を有している。
【０００６】
請求項２記載の衣類乾燥機は、衣類が投入されるドラムを内蔵するものであって前記ドラム内の衣類から放出される水を受けると共に後板を有する有底な円筒状の水受槽と、前記水受槽が収納された箱体と、前記箱体の内部に前記水受槽より高所に位置して設けられ前記箱体の強度を高める梁部材と、前記箱体の内部に前記水受槽より低所に位置して収納され前記ドラム内から空気を吸引して前記ドラム内に戻すように循環させる送風器と前記送風器が生成する空気流の循環経路内に配置された蒸発器と前記送風器が生成する空気流の循環経路内に前記蒸発器の下流側に位置して配置された凝縮器と前記蒸発器および前記凝縮器に冷媒を流す圧縮器を有するヒートポンプ式の乾燥機構と、前記箱体の天板に設けられ天ボルトが頭部ごと挿入可能なボルト挿入孔と、前記水受槽に設けられ前記箱体の梁部材を通して前記天ボルトの雄ネジ部が取外し可能に螺合される天雌ネジ部とを備えたところに特徴を有している。
【０００７】
請求項３記載の衣類乾燥機は、請求項１記載の衣類乾燥機の特徴点および請求項２記載の衣類乾燥機の特徴点を兼ね備えたものである。
【発明の効果】
【０００８】
請求項１記載の衣類乾燥機によれば、水受槽の下雌ネジ部に下部後板を通して下ボルトの雄ネジ部を螺合し、水受槽の上雌ネジ部に上部後板を通して上ボルトの雄ネジ部を螺合し、水受槽を箱体に下ボルトおよび上ボルトを介して締結している。このため、衣類乾燥機の輸送時に水受槽をヒートポンプ式の乾燥機構に邪魔されることなく十分な静止状態に固定することができる。
【０００９】
請求項２記載の衣類乾燥機によれば、水受槽の天雌ネジ部に梁部材を通して天ボルトの雄ネジ部を螺合し、水受槽を梁部材に天ボルトを介して締結している。このため、衣類乾燥機の輸送時に水受槽をヒートポンプ式の乾燥機構に邪魔されることなく十分な静止状態に固定することができる。
【００１０】
請求項３記載の衣類乾燥機によれば、水受槽の下雌ネジ部に下部後板を通して下ボルトの雄ネジ部を螺合し、水受槽の上雌ネジ部に上部後板を通して上ボルトの雄ネジ部を螺合し、水受槽の天雌ネジ部に梁部材を通して天ボルトの雄ネジ部を螺合し、水受槽を箱体に下ボルトと上ボルトと天ボルトを介して締結している。このため、衣類乾燥機の輸送時に水受槽をヒートポンプ式の乾燥機構に邪魔されることなく十分な静止状態に固定することができる。
【発明を実施するための最良の形態】
【００１１】
本発明を乾燥機能付のドラム式洗濯機に適用した実施例１〜実施例３を図面に基づいて説明する。
＜＜実施例１＞＞
外箱１は、図１および図２に示すように、台板２と左側板３と右側板４と前板５と天板６とドア取付板７と下部枠８と後蓋９と支持板１０と上部枠１１を相互に固定することから構成されたものである。台板２は鋼板を材料に形成されたものである。この台板２は外箱１の底板として機能するものであり、図２に示すように、上面が開口する矩形皿状をなしている。この台板２の４隅部には脚１２がそれぞれに固定されており、外箱１は４本の脚１２を介して床面に離間状態で設置される。この外箱１は箱体に相当するものである。
【００１２】
左側板３は、図３に示すように、外箱１の左側の壁部を構成するものであり、右側板４は外箱１の右側の壁部を構成するものであり、左側板３および右側板４はいずれも鋼板を材料に形成されている。上部枠１１は梁部材に相当するものであり、左側板３の上端部および右側板４の上端部の双方に固定されている。この上部枠１１は鋼板を材料に形成されたものであり、上部枠１１が存在しない場合に比べて外箱１の強度を高める補強機能を有している。天板６は、図２に示すように、外箱１の天井の壁部を構成するものであり、前板５は外箱１の前側の壁部を構成するものであり、上部枠１１は天板６の下方に間隔を置いて配置されている。ドア取付板７は前板５の後方に配置されたものであり、ドア取付板７には円形孔状の出入口１３が形成されている。このドア取付板７には円形状の扉１４が装着されており、扉１４は出入口１３を閉鎖する閉鎖状態および出入口１３を開放する開放状態に相互に移動可能にされている。
【００１３】
下部枠８と後蓋９と支持枠１０は３部材で外箱１の後側の壁部である後板を構成するものであり、下部枠８と後蓋９と支持枠１０はいずれも鋼板を材料に形成されている。これら下部枠８および支持枠１０は相互に隙間を介して上下方向に配列されたものであり、後蓋９は下部枠８および支持枠１０相互間の隙間を塞いでいる。これら下部枠８および支持枠１０相互間の隙間は外箱１内の内部部品を点検する点検口として機能するものであり、後蓋９は下部枠８および支持枠１０のそれぞれに対して着脱可能にされている。尚、下部枠８は下部後板に相当するものであり、支持枠１０は上部後板に相当するものである。
【００１４】
外箱１の内部には、図３に示すように、複数のダンパ２１が収納されている。これら各ダンパ２１は作動流体としてオイルを使用し復元バネとして金属バネを使用したものであり、外箱１の台板２に固定されている。これら複数のダンパ２１のロッド２２には合成樹脂製の水受槽２３が固定されており、水受槽２３は複数のダンパ２１を介して外箱１の内部に制振状態および緩衝状態で収納されている。この水受槽２３は、図２に示すように、後板を有する有底な円筒状をなすものであり、軸心線ＣＬが前から後に向って下降する傾斜状態に配置されている。
【００１５】
水受槽２３の前端部には水受槽カバー２４が固定されている。この水受槽カバー２４は、図３に示すように、水受槽２３の軸心線ＣＬに対して同心な円環状をなすものであり、水受槽カバー２４の内周部には、図２に示すように、ゴム製のベロー２６の後端部が固定されている。このベロー２６は水受槽２３の軸心線ＣＬに対して同心な円筒状をなすものであり、ベロー２６の前端部はドア取付板７の出入口１３の内周面に固定されている。
【００１６】
水受槽２３の後板には、図４に示すように、水受槽２３の外部に位置してドラムモータ２７が固定されている。このドラムモータ２７はステータの外周部にロータが配置されたアウタロータ型のものであり、ドラムモータ２７の回転軸は水受槽２３の内部に軸心線ＣＬに対して同心状に突出している。このドラムモータ２７は後蓋９の前方に配置されたものであり、後蓋９を下部枠８および支持枠１０の双方から取外して点検口を開放することでメンテナンス可能な状態になる。
【００１７】
ドラムモータ２７の回転軸には、図２に示すように、水受槽２３内に突出する部分に位置して金属製のドラム２８が固定されており、ドラム２８はドラムモータ２７が運転されることに基づいて回転操作される。このドラム２８は後面が閉鎖された有底な円筒状をなすものであり、水受槽２３の内部に軸心線ＣＬに対して同心状に収納されている。このドラム２８は扉１４の開放状態で前方から水受槽カバー２４の内部空間およびベロー２６の内部空間を通して衣類が投入されるものであり、ドラム２８内の衣類は前方からベロー２６の内部空間および水受槽カバー２４の内部空間を通して取出される。このドラム２８の全域には水および空気の双方が流通可能な複数の貫通孔が形成されている。これら複数の貫通孔はドラム２８の内部空間を水受槽２３の内部空間に接続するものであり、脱水運転および乾燥運転を行うときにはドラム２８内の衣類から放出される水が複数の貫通孔を通して水受槽２３によって受けられ、洗い運転およびすすぎ運転を行うときには水受槽２３内に水が貯留される。
【００１８】
外箱１の内部には給水弁が収納されている。この給水弁の入力ポートは水道の蛇口に接続され、給水弁の出力ポートは水受槽２３の内部空間に接続されており、水受槽２３の内部には給水弁が開放されることに基づいて水道の蛇口から給水弁を通して水が注入される。この水受槽２３には、図２に示すように、排水ホース２９が接続されている。この排水ホース２９には排水弁が介在されており、排水ホース２９は排水弁が閉鎖状態になることに基づいて水受槽２３内の水を排出不能な閉鎖状態になり、排水弁が開放状態になることに基づいて水受槽２３内の水を排出可能な開放状態になる。
【００１９】
外箱１の内部には、図２に示すように、水受槽２３の下方に位置して前後方向へ真直ぐに延びる四角管状のダクト３０が収納されている。このダクト３０は台板２に固定されたものであり、ダクト３０の前面および後面はいずれも開口している。このダクト３０の前面には蛇腹状をなす前ホース３１の下端部が接続されている。この前ホース３１の上端部は水受槽カバー２４に接続されており、水受槽２３の内部空間は前ホース３１を介してダクト３０の内部空間に接続されている。このダクト３０の内部にはエバポレータ３２およびコンデンサ３３が収納されている。エバポレータ３２は蒸発器に相当するものであり、コンデンサ３３の前方に配置されている。コンデンサ３３は凝縮器に相当するものであり、エバポレータ３２の後方に配置されている。
【００２０】
外箱１の内部には、図３に示すように、水受槽２３の下方に位置してコンプレッサ３４が収納されている。このコンプレッサ３４は台板２に固定されたものであり、コンプレッサ３４の吐出口には第１の中継パイプを介してコンデンサ３３が接続され、コンデンサ３３には第２の中継パイプを介してエバポレータ３２が接続され、エバポレータ３２は第３の中継パイプを介してコンプレッサ３４の吸入口に接続され、第２の中継パイプには圧力調整器が介在されている。このコンプレッサ３４はダクト３０の外部に配置されたものであり、コンプレッサ３４の運転時にはコンプレッサ３４の吐出口から吐出された冷媒がコンデンサ３３およびエバポレータ３２に当該順序で供給され、エバポレータ３２からコンプレッサ３４の吸入口に戻される。このコンプレッサ３４は圧縮器に相当するものである。
【００２１】
外箱１の内部には、図２に示すように、水受槽２３の下方に位置してファンケーシング３５が収納されている。このファンケーシング３５は台板２に固定されたものであり、ファンケーシング３５の内部にはファン３６が収納されている。このファン３６はファンモータの回転軸に連結されたものであり、ファンモータの運転時にはドラム２８内の空気が前ホース３１を通してダクト３０内に吸引され、エバポレータ３２およびコンデンサ３３を順に通過してファンケーシング３５内に侵入する。このファンモータはファンケーシング３５に固定されたものであり、ファンケーシング３５およびファン３６と共に送風器３７を構成する。
【００２２】
水受槽２３の後板には、図４に示すように、管状のダクト３８が固定されている。このダクト３８は水受槽２３の後板の中心点ＣＰを中心とする渦巻状をなすものであり、水受槽２３の後板にはダクト３８の上端部に位置して開口部２５が形成され、ダクト３８の内部空間は開口部２５を介して水受槽２３の内部空間に接続されている。このダクト３８の下端部には、図２に示すように、蛇腹状をなす後ホース４０の上端部が接続されている。この後ホース４０の下端部はファンケーシング３５の吐出口に接続されており、ファンケーシング３４内に侵入した空気は後ホース４０からダクト３８内および開口部２５内を通してドラム２８内に戻される。
【００２３】
前ホース３１とダクト３０と後ホース４０とダクト３８はドラム２８の内部空間を始点および終点とする空気流の循環経路４１（図２参照）を構成するものである。送風器３７はドラム２８内の空気を循環経路４１に沿って流すものであり、ドラム２８の内部空間から空気を汲出してダクト３０およびダクト３８からドラム２８の内部空間に戻す方向に循環させる。エバポレータ３２は循環経路４１内に配置されたものであり、コンデンサ３３は循環経路４１内にエバポレータ３２の下流側に位置して配置されている。これらエバポレータ３２とコンデンサ３３とコンプレッサ３４と送風器３７はヒートポンプ式の乾燥機構４２（図２参照）を構成するものであり、いずれも水受槽２３の下方に水受槽２３より低所に配置されている。エバポレータ３２は送風器３７がドラム２８内から汲出した空気を冷却することで除湿するものであり、コンデンサ３３はエバポレータ３２が除湿した空気を加熱することで昇温させ、ドラム２８内に高温低湿度の空気を送ることでドラム２８内の衣類を乾燥させる。
【００２４】
水受槽２３の後板には、図４に示すように、上端部に位置して円筒状をなす２個の上ボス部４３が形成されている。これら両上ボス部４３は相互に同一高さに配置されたものであり、左方の上ボス部４３は水受槽２３の後板の中心点ＣＰより左側に配置され、右方の上ボス部４３は水受槽２３の後板の中心点ＣＰより右側に配置されている。これら各上ボス部４３は、図５の（ａ）に示すように、支持枠１０に対して垂直である水平なものであり、各上ボス部４３の内周面にネジ山が形成されている。これら各上ボス部４３は上雌ネジ部に相当するものであり、図４に示すように、水受槽２３の後板の中心点ＣＰに比べて高所に配置されている。
【００２５】
水受槽２３の後板には、図４に示すように、下端部に位置して円筒状をなす１個の下ボス部４４が形成されている。この下ボス部４４は、図５の（ｂ）に示すように、下部枠８に対して垂直である水平なものであり、下ボス部４４の内周面にはネジ山が形成されている。この下ボス部４４は下雌ネジ部に相当するものであり、図４に示すように、水受槽２３の後板の中心点ＣＰに比べて低所に配置されている。
【００２６】
外箱１の支持枠１０には、図５の（ａ）に示すように、各上ボス部４３の後方に位置して円形状の上貫通孔４７が形成されており、各上貫通孔４７内には後方から包装用の上ボルト４８が挿入されている。これら各上ボルト４８は雄ネジ部４９とスペーサ部５０と頭部５１を有するものである。各上ボルト４８の雄ネジ部４９は外周面にネジ山が形成された円柱状の部分を称するものであり、上ボス部４３の内周面に螺合されている。各上ボルト４８のスペーサ部５０は雄ネジ部４９に比べて外径寸法が大きな円柱状の部分を称するものであり、上ボス部４３に接触することに基づいて雄ネジ部４９の上ボス部４３に対する螺合量を制限している。各上ボルト４８の頭部５１はスペーサ部５０に比べて外径寸法が大きな円形状の部分を称するものであり、ワッシャ５２を介して支持枠１０に締結されている。これら各上ボルト４８のスペーサ部５０の外径寸法は上貫通孔４７の直径寸法に比べて小さく設定されており、各上ボルト４８は雄ネジ部４９および上ボス部４３間の螺合を解除することで後方から上貫通孔４７を通して抜取られる。
【００２７】
外箱１の下部枠８には、図５の（ｂ）に示すように、下ボス部４４の後方に位置して円形状の下貫通孔５３が形成されており、下貫通孔５３内には後方から包装用の下ボルト５４が挿入されている。この下ボルト５４は雄ネジ部５５とスペーサ部５６と頭部５７を有するものである。雄ネジ部５５は外周面にネジ山が形成された円柱状の部分を称するものであり、下ボス部４４の内周面に螺合されている。スペーサ部５６は雄ネジ部５５に比べて外径寸法が大きな円柱状の部分を称するものであり、下ボス部４４に接触することに基づいて雄ネジ部５５の下ボス部４４に対する螺合量を制限している。頭部５７はスペーサ部５６に比べて外径寸法が大きな円形状の部分を称するものであり、ワッシャ５８を介して下部枠８に締結されている。この下ボルト５４のスペーサ部５６の外径寸法は下貫通孔５３の直径寸法に比べて小さく設定されており、下ボルト５４は雄ネジ部５５および下ボス部４４間の螺合を解除することで後方から下貫通孔５３を通して抜取られる。
【００２８】
水受槽２３の周板には、図２に示すように、台座部５９が形成されている。この台座部５９は水受槽２３の頂上部に配置されたものであり、外箱１の上部枠１１に下方から対向している。この台座部５９には、図５の（ｃ）に示すように、天雌ネジ部６０が形成されている。この天雌ネジ部６０は上部枠１１に対して直角である垂直方向にネジ山が形成された部分を称するものであり、水受槽２３の頂上部に配置されている。
【００２９】
外箱１の上部枠１１には天雌ネジ部６０の上方に位置して天貫通孔６２が形成されており、天貫通孔６２内には上方から包装用の天ボルト６３が挿入されている。この天ボルト６３は雄ネジ部６４とスペーサ部６５と頭部６６を有するものである。雄ネジ部６４は外周面にネジ山が形成された円柱状の部分を称するものであり、天雌ネジ部６０の内周面に螺合されている。スペーサ部６５は雄ネジ部６４に比べて外径寸法が大きな円柱状の部分を称するものであり、台座部５９に接触することに基づいて雄ネジ部６４の天雌ネジ部６０に対する螺合量を制限している。頭部６６はスペーサ部６５に比べて外径寸法が大きな円形状の部分を称するものであり、受板６７および受板６７に比べて径小なワッシャ６８を介して上部枠１１に締結されている。この天ボルト６３のスペーサ部６５の外径寸法は天貫通孔６２の直径寸法に比べて小さく設定されており、天ボルト６３は雄ネジ部６４および天雌ネジ部６０間の螺合を解除することで天貫通孔６２から抜取られる。
【００３０】
外箱１の天板６には天貫通孔６２の上方に位置してボルト挿入孔６９が形成されている。このボルト挿入孔６９は天ボルト６３の頭部６６および天ボルト６３のワッシャ６８の双方に比べて直径寸法が大きく設定されたものであり、天ボルト６３の雄ネジ部６４は上方から天板６のボルト挿入孔６９および上部枠１１の天貫通孔６２を通して水受槽２３の天雌ネジ部６０に螺合され、天ボルト６３は上方から天板６のボルト挿入孔６９を通してワッシャ６８と共に抜取られる。このボルト挿入孔６９の内周面にはキャップ７０が着脱可能に嵌合されており、キャップ７０はボルト挿入孔６９を上方から塞いでいる。
【００３１】
上ボルト４８と下ボルト５４と天ボルト６３は洗濯機を輸送等の目的で包装するときに水受槽２３を外箱１に静止状態に固定するものであり、洗濯機の輸送が不要になった時点で外箱１から抜取られる。キャップ７０は天ボルト６３の抜取り状態でボルト挿入孔６９の内周面に再び嵌合されるものであり、天ボルト６３の抜取り状態でボルト挿入孔６９を化粧用に塞ぐ。
【００３２】
上記実施例１によれば次の効果を奏する。
水受槽２３の上ボス部４３に後方から支持枠１０を通して上ボルト４８の雄ネジ部４９を取外し可能に螺合し、水受槽２３の下ボス部４４に後方から下部枠８を通して下ボルト５４の雄ネジ部５５を取外し可能に螺合し、水受槽２３の天雌ネジ部６０に上方から上部枠１１を通して天ボルト６３の雄ネジ部６４を取外し可能に螺合したので、洗濯機の輸送時に水受槽２３をヒートポンプ式の乾燥機構４２に邪魔されることなく上ボルト４８と下ボルト５４と天ボルト６３を介して外箱１に締結し、十分な静止状態に固定することができる。このため、水受槽２３が輸送時に振動することが抑えられるので、水受槽２３が輸送時にダクト３０やコンプレッサ３２やファンケーシング３５に振動で干渉すること、水受槽２３がエバポレータ３２とコンデサ３３とコンプレッサ３４相互間を接続する中継パイプに振動で干渉すること、外箱１が振動で凹むことの全てを防止することができる。
【００３３】
水受槽２３を上端部および下端部で外箱１に固定したので、水受槽２３の輸送時の振動を少ない数のボルトで防止することができる。しかも、水受槽２３を振動方向に対して平行な天ボルト６３によって外箱１に固定した。このため、水受槽２３の輸送時の振動が天ボルト６３の雄ネジ部６４および水受槽２３の天雌ネジ部６０相互間の係合力で拘束されるので、洗濯機の輸送時に水受槽２３が振動することを確実に防止できる。
【００３４】
天板６のボルト挿入孔６９にキャップ７０を着脱可能に嵌合したので、洗濯機の輸送時に天ボルト６３の頭部６６を視覚的に認識不能に隠すことができる。しかも、天ボルト６３の取外し状態でボルト挿入孔６９そのものを視覚的に認識不能に隠すことができるので、水受槽２３を上方から上部枠１１に固定する影響で外箱１の見栄えが低下することが抑えられる。
【００３５】
上記実施例１においては、水受槽２３の後面またはダクトカバー３８の後面に金属製の２個の上座板および金属製の１個の下座板を固定し、各上座板に上ボス部４３を形成し、下座板に下ボス部４４を形成しても良い。
＜＜実施例２＞＞
水受槽２３の後板には、図６に示すように、別部材である合成樹脂製の下台座７１が固定されている。この下台座７１は下台座７１を通して水受槽２３の後板に複数のネジを螺合することで固定されたものであり、下台座７１には下ボス部４４が形成されている。この下台座７１は下部枠８および下ボス部４４相互間の距離を支持枠１０および上ボス部４３相互間の距離と同一に短縮するものであり、下台座７１の下ボス部４４には下部枠８の下貫通孔５３を通して下ボルト５４の雄ネジ部５５が螺合されている。
【００３６】
水受槽２３には別部材である合成樹脂製の天台座７２が固定されている。この天台座７２は天台座７２を通して水受槽２３に複数のネジを螺合することで固定されたものであり、天台座７２には天雌ネジ部６０が形成されている。この天台座７２は天板６および天雌ネジ部６０相互間の距離を支持枠１０および上ボス部４３相互間の距離と同一に短縮するものであり、天台座７２の天雌ネジ部６０には天板６のボルト挿入孔６９および上部枠１１の天貫通孔６２を通して天ボルト６３の雄ネジ部６４が螺合されている。これら下台座７１および天台座７２はいずれも台座に相当するものである。
【００３７】
上記実施例２によれば次の効果を奏する。
水受槽２３に下ボス部４４を有する下台座７１および天雌ネジ部６０を有する天台座７２を固定し、下部枠８および下ボス部４４相互間の距離を支持枠１０および上ボス部４３相互間の距離と同一に短縮し、上部枠１１および天雌ネジ部６０相互間の距離を支持枠１０および上ボス部４３相互間の距離と同一に短縮した。このため、上ボルト４８と下ボルト５４と天ボルト６３として長さ寸法が同一なボルトを使用することが可能になる。しかも、水受槽２３の後面に対して傾斜する下ボス部４４を水受槽２３に形成することなく、下台座７１の形状を水受槽２３の傾斜に合せて設計的に調整することで下ボス部４４を水平に設定することができるので、下ボルト５４による水受槽２３の固定状態が安定する。この効果は天台座７２についても同一である。
【００３８】
上記実施例２においては、水受槽２３の後板に上ボス部４３を有する上台座を固定し、上ボルト４８の雄ネジ部４９を支持枠１０の上貫通孔４７を通して上台座の上ボス部４３に螺合しても良い。
＜＜実施例３＞＞
下部枠８には、図７に示すように、電源コード８０の一端部が機械的に接続されており、電源コード８０の他端部には電源プラグ８１が電気的に接続されている。この電源プラグ８１は商用交流電源の電源コンセントに差込まれるものであり、電源回路には電源コード８０を通して商用交流電源が供給される。この電源回路は外箱１の内部に収納されたものであり、商用交流電源に基づいてドラムモータ２７・コンプモータ・ファンモータ等の内部電気部品の駆動電源を生成する。尚、コンプモータとはコンプレッサ３４の駆動源を称している。
【００３９】
電源コード８０には細長な注意タグ８２が二つ折り状態で装着されている。この注意タグ８２は天ボルト６３の頭部６６およびワッシャ６８相互間で挟持され、各組の上ボルト４８のワッシャ５２および支持枠１０相互間でそれぞれに挟持され、下ボルト５４のワッシャ５８および下部枠８相互間で挟持されており、電源コード８０の他端部は注意タグ８２が天ボルト６３と２個の上ボルト４８と下ボルト５４の４部材によって拘束されることで挙動が制限され、電源プラグ８１は電源コード８０の他端部の挙動が制限されることに基づいて電源コンセントに対して差込不能に天板６上に載せられている。これら天ボルト６３と２個の上ボルト４８と下ボルト５４の４部材が取外されたときには４部材による注意タグ８２の拘束が解除され、電源コード８０の挙動が自由になることに基づいて電源プラグ８１を電源コンセントに差込むことが可能になる。この注意タグ８２はタグに相当するものである。
【００４０】
上記実施例３によれば次の効果を奏する。
２個の上ボルト４８と下ボルト５４と天ボルト６３の４部材に共通のタグ８２を装着したので、２個の上ボルト４８と下ボルト５４と天ボルト６３の４部材の外し忘れを防止することができる。しかも、注意タグ８２を電源コード８０に装着することで電源コード８０の挙動を制限し、電源プラグ８１を電源コンセントに対して差込不能にした。このため、電源プラグ８１を電源コンセントに差込もうとしたときに天ボルト６３と２個の上ボルト４８と下ボルト５４の４部材の外し忘れを自然に確認することができるので、４部材の外し忘れを確実に防止することができる。
【００４１】
上記実施例３においては、注意タグ８２を天ボルト６３のワッシャ６８と受板６７との間で挟持しても良い。
上記実施例３においては、注意タグ８２を各上ボルト４８の頭部５１とワッシャ５２との間で挟持しても良い。
【００４２】
上記実施例３においては、注意タグ８２を下ボルト５４の頭部５７とワッシャ５８との間で挟持しても良い。
上記実施例１〜実施例３においては、外箱１の後板を下部枠８と後蓋９と支持枠１０を含む４つ以上の部材から構成しても良い。
【００４３】
上記実施例１〜実施例３においては、水受槽２３の上端部に１個の上ボス部４３を設け、支持枠１０に１個の上貫通孔４７を設け、後方から上貫通孔４７を通して上ボス部４３に上ボルト４８を螺合することで水受槽２３のうち後板の中心点ＣＰより上側の部分を１本の上ボルト４８で水受槽２３の後板に静止状態に固定しても良い。
【００４４】
上記実施例１〜実施例３においては、水受槽２３を２個の上ボルト４８および１個の下ボルト５４で外箱１に固定したり、あるいは、水受槽２３を１個の上ボルト４８および１個の下ボルト５４で外箱１に固定したり、あるいは、水受槽２３を１個の天ボルト６３だけで外箱１に固定しても良い。この場合、２個の上ボルト４８および１個の下ボルト５４に共通の注意タグ８２を装着したり、あるいは、１個の上ボルト４８および１個の下ボルト５４に共通の注意タグ８２を装着すると良い。
【００４５】
上記実施例１〜実施例３においては、本発明を乾燥専用の衣類乾燥機に適用しても良い。
【図面の簡単な説明】
【００４６】
【図１】実施例１を示す図（洗濯機の外観を示す斜視図）
【図２】洗濯機の内部構成を示す断面図
【図３】洗濯機の内部構成をドア取付板および前板の除去状態で示す前面図
【図４】洗濯機の内部構成を後蓋の除去状態で示す後面図
【図５】（ａ）は上ボルトの水受槽に対する締結状態を示す断面図、（ｂ）は下ボルトの水受槽に対する締結状態を示す断面図、（ｃ）は天ボルトの水受槽に対する締結状態を示す断面図
【図６】実施例２を示す図２相当図
【図７】実施例３を示す図２相当図
【符号の説明】
【００４７】
１は箱体（外箱）、６は天板、８は下部枠（下部後板）、９は後蓋、１０は支持枠（上部後板）、１１は上部枠（梁部材）、２３は水受槽、２８はドラム、３２はエバポレータ（蒸発器）、３３はコンデンサ（凝縮器）、３４はコンプレッサ（圧縮器）、３７は送風器、４２は乾燥機構、４３は上ボス部（上雌ネジ部）、４４は下ボス部（下雌ネジ部）、４８は上ボルト、４９は雄ネジ部、５４は下ボルト、５５は雄ネジ部、６０は天雌ネジ部、６３は天ボルト、６４は雄ネジ部、６６は頭部、６９はボルト挿入孔、７０はキャップ、７１は下台座（台座）、７２は天台座（台座）、８０は電源コード、８１は電源プラグ、８２は注意タグ（タグ）を示している。
【図１】
2007145351.tif 000003
【図２】
2007145351.tif 000004
【図３】
2007145351.tif 000005
【図４】
2007145351.tif 000006
【図５】
2007145351.tif 000007
【図６】
2007145351.tif 000008
【図７】
2007145351.tif 000009